(57)【要約】【課題】  小型化および薄型化を図ることができ、さらには、応答性に優れ、かつ、大きなトルクを得ることのできるシャッタ装置を提供すること。【解決手段】  シャッタ装置１では、アウターロータ型のステッピングモータ構造を備えた駆動機構において駆動コイルに通電すると、環状マグネット３１が回転し、３枚のシャッタ羽根５は、支軸５０周りに回転して開閉動作を行う。ここで、駆動機構は、ステッピングモータにおける１ステップ以下の駆動で、開状態から閉状態への切り換え、および閉状態から開状態への切り換えを行う。【選択図】    図３
2006154054.tif 000002
【特許請求の範囲】
【請求項１】
開口を開閉するためのシャッタ部材と、該シャッタ部材を駆動する駆動手段とを有するシャッタ装置において、
前記駆動手段は、前記シャッタ部材の外側に配置された環状マグネットと、該環状マグネットを周方向に回転させる駆動コイルとを備え、
前記環状マグネットと前記シャッタ部材との間には、前記環状マグネットの回転を前記シャッタ部材に伝達して当該シャッタ部材を該シャッタ部材の面内方向に回転移動させる回転伝達部が構成されていることを特徴とするシャッタ装置。
【請求項２】
請求項１において、前記シャッタ部材は、面内方向に回転可能に支軸により支持された複数枚のシャッタ羽根から構成され、
当該複数枚のシャッタ羽根は、開位置から閉位置への移動の際には互いに深く重なる内側に回転移動して中央部分を閉鎖し、閉位置から開位置への移動の際には互いの重なりが浅くなる外側方向に回転移動して中央部分を開放することを特徴とするシャッタ装置。
【請求項３】
請求項１または２において、前記環状マグネットは周方向に多極着磁され、
前記駆動手段は、前記環状マグネットの着磁面に沿って周方向に並ぶ複数の極歯を具備する環状ヨークを備えた１相のステッピングモータ構造を有していることを特徴とするシャッタ装置。
【請求項４】
請求項３において、前記駆動手段は、前記駆動コイル、前記環状マグネット、および前記ヨークを１組、備えていることを特徴とするシャッタ装置。
【請求項５】
請求項３または４において、前記シャッタ部材は、前記駆動手段における１ステップ未満の動作により、開位置から閉位置への移動、または閉位置から開位置への移動を行うことを特徴とするシャッタ装置。
【請求項６】
請求項３ないし５のいずれかにおいて、前記環状マグネットおよび前記シャッタ部材の回転移動範囲を規定するストッパ機構を有し、
前記環状マグネットの動作角度範囲は、着磁極の角度の約１／２以下であることを特徴とするシャッタ装置。
【請求項７】
請求項３ないし６のいずれかにおいて、前記環状マグネットの多極着磁は、前記回転伝達部を基準位置にして成されていることを特徴とするシャッタ装置。
【請求項８】
請求項３ないし７のいずれかにおいて、前記ヨークには、周方向における固定位置を規定するための突起あるいは凹部が形成されていることを特徴とするシャッタ装置。
【請求項９】
請求項３ないし８のいずれかにおいて、前記駆動手段は、前記環状マグネットが前記ヨークおよび前記駆動コイルの外側に配置されたアウターロータ型のステッピングモータ構造を有し、
前記ヨークおよび前記駆動コイルは、軸線方向における一方側の内周部分に、開口縁側の内径を大きくするテーパを有していることを特徴とするシャッタ装置。
【請求項１０】
請求項１ないし９のいずれかにおいて、前記回転伝達部は、前記シャッタ部材の端部と、該端部が嵌る前記環状マグネットの切り欠きとによって構成されていることを特徴とするシャッタ装置。
【請求項１１】
請求項１ないし１０のいずれかにおいて、前記環状マグネットおよび該環状マグネットに隣接する固定部材との間には、複数のベアリングボールが配置され、
前記環状マグネットおよび前記固定部材のうちの少なくとも一方には、前記複数のベアリングボールの各々を保持する複数のベアリングボール収納穴が形成されていることを特徴とするシャッタ装置。
【請求項１２】
請求項１１において、前記ベアリングボールは、前記環状マグネットに対してスラスト軸受およびラジアル軸受の双方の機能を担っていることを特徴とするシャッタ装置。
【発明の詳細な説明】
【技術分野】
【０００１】
本発明は、カメラなどに用いられるシャッタ装置に関するものである。
【背景技術】
【０００２】
各種計測やカメラなどの光学装置に用いられるシャッタ装置において、シャッタ部材を磁気駆動するものとしては、例えば、シャッタ部材が固定された回転軸に２極着磁された円筒型磁石を固着しておく一方、この円筒型磁石と平行に対面するような曲率で９０度の角度範囲に曲げられた一対のクローポールをコイル上部と下部に対向して固定したモータを用いたものが提案されている（例えば、特許文献１参照）。
【特許文献１】特開平１０−１９１６１３号公報
【発明の開示】
【発明が解決しようとする課題】
【０００３】
しかしながら、特許文献１に開示のシャッタ装置では、シャッタ部材を回転軸に固定しているため、モータ本体部分が光路を遮らないようにするには、光路の側方にモータ本体を配置してそこから光路に向けて回転軸を延ばすように構成する必要があるため、大きなスペースを必要とし、かつ、小型化および薄型化が困難であるという問題点がある。
【０００４】
また、円筒型磁石を２極に着磁してシャッタ部材を９０°という大きな角度範囲にわたって駆動する必要があるため、応答性が悪く、かつ、モータの体格のわりには小さなトルクしか得ることができないという問題点がある。
【０００５】
以上の問題点に鑑みて、本発明の課題は、小型化および薄型化を図ることができるシャッタ装置を提供することにある。
【０００６】
また、本発明の課題は、応答性に優れ、かつ、大きなトルクを得ることのできるシャッタ装置を提供することにある。
【課題を解決するための手段】
【０００７】
上記課題を解決するために、本発明では、開口を開閉するためのシャッタ部材と、該シャッタ部材を駆動する駆動手段とを有するシャッタ装置において、前記駆動手段は、前記シャッタ部材を外側に配置された環状マグネットと、該環状マグネットを周方向に回転させる駆動コイルとを備え、前記環状マグネットと前記シャッタ部材との間には、前記環状マグネットの回転を前記シャッタ部材に伝達して当該シャッタ部材を該シャッタ部材の面内方向に回転移動させる回転伝達部が構成されていることを特徴とする。
【０００８】
本願明細書において、「シャッタ部材の外側に配置された環状マグネット」とは、環状マグネットの内側にシャッタ部材全体あるいはその大部分が位置しておればよい意味であり、シャッタ部材の周りを囲むように環状マグネットが配置された構成の他、シャッタ部材の外周側が環状マグネットに重なっている構成や、シャッタ部材の外周側が環状マグネットより外側にはみ出ている構成も含む意味である。
【０００９】
本発明では、環状マグネットを周方向に回転させて内側のシャッタ部材を動作させるため、環状マグネットの内側を光路として利用できる。従って、シャッタ装置の小型化を図ることができる。また、回転軸を介さず、環状マグネットの回転をシャッタ部材に伝達するため、薄型化を図ることができる。また、環状マグネットを周方向に回転させて内側のシャッタ部材を動作させるため、シャッタ部材については、面内方向に回転可能に支軸により支持された複数枚のシャッタ羽根により構成することができ、このようなシャッタ羽根であれば、応答性に優れ、かつ、絞りとして機能させることもできる。
【００１０】
すなわち、本発明においては、前記シャッタ部材は、面内方向に回転可能に支軸により支持された複数枚のシャッタ羽根により構成され、複数枚のシャッタ羽根は、開位置から閉位置への移動の際には互いに深く重なる内側に回転移動して中央部分を閉鎖し、閉位置から開位置への移動の際には互いの重なりが浅くなる外側方向に回転移動して中央部分を開放するように動作することが好ましい。
【００１１】
本発明において、前記環状マグネットは周方向に多極着磁され、前記駆動手段は、前記環状マグネットの着磁面に沿って周方向に並ぶ複数の極歯を具備する環状ヨークを備えた１相のステッピングモータ構造を有していることが好ましい。このように構成すると、極数を増やすことができるので、大きなトルクを得ることができるとともに、応答性を向上することができる。
【００１２】
本発明において、前記駆動手段は、前記駆動コイル、前記環状マグネット、および前記ヨークを１組、備えていることが好ましい。ステッピングモータ構造を採用すれば大きなトルクを得ることができるので、前記駆動コイル、前記環状マグネット、および前記ヨークを１組、用いればよく、小型化、薄型化、軽量化および低コスト化を図ることができる。
【００１３】
本発明において、前記シャッタ部材は、前記駆動手段における１ステップ未満の動作により、開位置から閉位置への移動、または閉位置から開位置への移動を行うことが好ましい。このように構成すると、大きなトルクを得ることができるとともに、応答性を向上することができる。また、前記駆動手段における１ステップ未満の動作で開閉動作が行われる場合には、環状マグネットは、ステップ角の途中位置で停止することになるため、コギングトルクの影響を受けないので、応答よく回転する。また、１ステップ未満の回転角度の場合コイルおよびヨークは１個でも開位置および閉位置の各々で安定して停止位置を保持できる。
【００１４】
本発明において、前記環状マグネットおよび前記シャッタ部材の回転移動範囲を規定するストッパ機構を有し、前記環状マグネットの動作角度範囲は、着磁極の角度の約１／２以下であることが好ましい。このような狭い角度範囲で動作させるのであれば、回転動作を確実に行うことができる。
【００１５】
本発明において、前記環状マグネットの多極着磁は、前記回転伝達部を基準位置にして成されていることが好ましい。このように構成すると、位相を容易に、かつ確実に合わせることができる。
【００１６】
本発明において、前記ヨークには、周方向における固定位置を規定するための突起あるいは凹部が形成されていることが好ましい。このように構成すると、位相を容易に、かつ確実に合わせることができる。
【００１７】
本発明において、前記駆動手段は、前記環状マグネットが前記ヨークおよび前記駆動コイルの外側に配置されたアウターロータ型のステッピングモータ構造を有するものとして構成される場合があり、この場合には、前記ヨークおよび前記駆動コイルは、軸線方向における一方側の内周部分に、開口縁側の内径を大きくするテーパを有していることが好ましい。このように構成すると、光がヨークや駆動コイルで遮られることがないので、一方側から広い角度範囲にわたって光を入射させることができる。逆にいえば、一方側から広い角度範囲にわたって光を出射することができる。
【００１８】
本発明において、前記回転伝達部は、前記シャッタ部材の端部と、該端部が嵌る前記環状マグネットの切り欠きとによって構成されていることが好ましい。このように構成すると、環状マグネットによってシャッタ部材を直接駆動するので、機械的伝達損失を低減でき、かつ、小型化、軽量化および低コスト化を図ることができる。
【００１９】
本発明において、前記環状マグネットおよび該環状マグネットに隣接する固定部材との間には、複数のベアリングボールが配置され、前記環状マグネットおよび前記固定部材のうちの少なくとも一方には、前記複数のベアリングボールの各々を保持する複数のベアリングボール収納穴が形成されていることが好ましい。このように構成すると、ベアリングボールに対するリテーナが必要ないので、小型化、軽量化、および低コスト化を図ることができる。また、このようなリテーナを設けずに構成できるのは回転角度が１ステップ以下に限定されているためである。
【００２０】
本発明において、前記ベアリングボールは、前記環状マグネットに対してスラスト軸受およびラジアル軸受の双方の機能を担っていることが好ましい。このように構成すると、製作公差や、温度変化に起因する変形があっても、負荷が増大しないので、スムーズな動作を実現できる。
【発明の効果】
【００２１】
本発明に係るシャッタ装置では、環状マグネットを周方向に回転させて内側のシャッタ部材を動作させるため、環状マグネットの内側を光路として利用できる。従って、シャッタ装置の小型化を図ることができる。また、回転軸を介さず、環状マグネットの回転をシャッタ部材に伝達するため、薄型化を図ることができる。また、環状マグネットを周方向に回転させて内側のシャッタ部材を動作させるため、シャッタ部材については、面内方向に回転可能に支軸により支持された複数枚のシャッタ羽根により構成することができ、このようなシャッタ羽根であれば、応答性に優れ、かつ、絞りとして機能させることもできる。
【発明を実施するための最良の形態】
【００２２】
以下に、図面を参照して、本発明を適用したシャッタ装置を説明する。
【００２３】
（全体構成）
図１（ａ）、（ｂ）はそれぞれ、本発明を適用したシャッタ装置を上面側（一方側）からみたときの斜視図、および底面カバーを外した状態で底面側（他方側）からみたときの斜視図である。図２（ａ）、（ｂ）はそれぞれ、本発明を適用したシャッタ装置の断面図、およびこのシャッタ装置に用いた環状マグネットの底面図である。なお、図２（ｂ）では、シャッタ部材の図示を省略してある。
【００２４】
図１（ａ）、（ｂ）に示すシャッタ装置１は、例えば、携帯電話機のカメラに対して設けられるものであり、ここに示す例では、一方側１ａが被写体側であり、他方側１ｂにレンズ駆動装置（図示せず）が配置される。
【００２５】
図２（ａ）、（ｂ）に示すように、本形態のシャッタ装置１は、円筒形のケース２１を有しており、その一方側１ａは上面カバー２２で覆われ、他方側１ｂは底面カバー２３で覆われている。上面カバー２２および底面カバー２３はいずれも、その中央部分に開口２２０、２３０が形成されており、一方側１ａから他方側１ｂへの光路が確保されている。ケース２１の内側には、底面カバー２３との間に隙間６を隔てて地板２５が配置され、この地板２５にも中央部分に開口２５０が形成されている。なお、底面カバー２３の外周側にはリング２４が固定されている。
【００２６】
本形態では、地板２５の上面および外側を利用して、以下に説明するアウターロータ型の１相のステッピングモータ構造の駆動機構３（駆動手段）が構成され、地板２５と底面カバー２３との間の隙間６を利用して後述するシャッタ部材が配置されている。
【００２７】
（駆動機構の構成）
駆動機構３では、地板２５の周りに、円筒状の環状マグネット３１が周方向に回転可能に配置されており、環状マグネット３１の内周面は、周方向に多極着磁されてＳ極とＮ極とが交互に配列されている。ここで、環状マグネット３１は、着磁極の角度がたとえば１８°であり、２０極である。
【００２８】
また、駆動機構３は、地板２５上に駆動コイル３２を１つ備えており、この駆動コイル３２は、周方向に巻回されている。駆動コイル３２は、その上端面および下端面の各々に配置された環状の上ヨーク３３および環状の下ヨーク３４に挟まれた状態で地板２５上に配置されている。上ヨーク３３の外周縁および下ヨーク３４の外周縁からは、軸線方向に複数の極歯３６、例えば１０個の極歯３６がそれぞれ突出しており、駆動コイル３２の外周側においては、上ヨーク３３の極歯３６と下ヨーク３４の極歯３６が周方向に交互に並んでいる。従って、駆動コイル３２に通電すると、駆動コイル３２の外周側において上ヨーク３３の極歯３６と下ヨーク３４の極歯３６は互いに逆の極となる。なお、環状マグネット３１の極数は、上ヨーク３３の極歯３６の数（下ヨーク３４の極歯３６の数も１０歯）の２倍であり、本形態では２０極である。
【００２９】
本形態では、上面カバー２２の開口部２２０は、底面カバー２３や地板２５の開口部２３０、２５０よりも大きな径を有しており、それに合わせて、上ヨーク３３および駆動コイル３２は、軸線方向における一方側１ａの内周部分に、開口縁側の内径を大きくするテーパ３３０、３２０を有している。このため、光が上ヨーク３３や駆動コイル３２で遮られることがないので、一方側１ａから広い角度範囲にわたって光を入射させることができる。
【００３０】
（環状マグネット３１に対する支持構造）
環状マグネット３１の上端面の角部には、軸線方向に短く延びた環状の外周壁３１３および半径方向に短く延びた環状の底壁３１４を備えた環状凹部が周方向に略等角度間隔に複数形成されており、この環状凹部、ケース２１、上面カバーで形成された複数の空間は各々、ベアリングボール８１が１個ずつ配置されたベアリングボール収納穴８２として利用されている。また、環状マグネット３１の下端面の角部にも、軸線方向に短く延びた環状の外周壁３１５および半径方向に短く延びた環状の底壁３１６を備えた環状凹部が周方向に略等角度間隔に複数形成されており、この環状凹部、ケース２１、リング２４で形成された複数の空間は各々、ベアリングボール８３が１個ずつ配置されたベアリングボール収納穴８４として利用されている。従って、本形態では、ベアリングボール８１、８３に対するリテーナが必要ないので、小型化、軽量化、および低コスト化を図ることができる。また、ベアリングボール８１、８３は、底壁３１４、３１６とリング２４とに挟まれて環状マグネット３１に対するスラスト軸受として機能するとともに、外周壁３１３、３１５とケース２１とに挟まれて環状マグネット３１に対するラジアル軸受として機能している。このため、製作公差や、温度変化に起因する変形があっても、負荷が増大しないので、スムーズな動作を実現できる。
【００３１】
なお、ベアリングボール収納穴８２、８３の周方向における寸法は、後述する環状マグネット３１の動作角の１／２倍の寸法とベアリングボール８１、８３の外径寸法との和に相当する寸法に余裕を加えた寸法に設定してある。
【００３２】
（シャッタ部材および回転伝達部の構成）
本形態のシャッタ装置１では、地板２５と底面カバー２３との間にシャッタ部材として、薄い３枚のシャッタ羽根５が互いに一部が重なるように配置されている。３枚のシャッタ羽根５はそれぞれ、その基端側が支軸５０によって面内方向に回転可能な状態に支持されている。なお、３枚のシャッタ羽根５は同一の構成を有しており、いずれも、地板固定用ボス２５５との干渉を避けることなどを目的に湾曲した外形形状を備えている。
【００３３】
ここで、３枚のシャッタ羽根５のそれぞれの基端部には突起５１が形成されている一方、環状マグネット３１の底面には、３枚のシャッタ羽根５の各突起５１が嵌る切り欠き３１１が等角度間隔に３つ形成されている。従って、本形態では、環状マグネット３１と３枚のシャッタ羽根５との間には、突起５１と切り欠き３１１とによって、後述する開閉動作を行う際、環状マグネット３１の回転を３枚のシャッタ羽根５に伝達して３枚のシャッタ部材５を面内方向に回転移動させる回転伝達部９が構成されている。なお、切り欠き３１１は、突起５１の形状に対応して内周側で幅が広く、外周側に向かって狭まっている。
【００３４】
（動作）
図３（ａ）、（ｂ）はそれぞれ、本発明を適用したシャッタ装置においてシャッタを開いた状態の底面図、およびシャッタを閉じた状態の底面図である。なお、図３（ａ）、（ｂ）では、ベアリングボールやその収納穴などの図示は省略してある。
【００３５】
本形態のシャッタ装置１において、図３（ａ）に示す状態では、３枚のシャッタ羽根５は、互いに深く重なる内側に向けて回転移動した状態にあり、その中央部分を閉鎖した状態にある（閉状態）。この状態から駆動コイル３２に通電すると、環状マグネット３１が、矢印Ａで示す方向に回転する。その結果、３枚のシャッタ羽根５は、支軸５０回りに矢印Ｂの方向に回転する。すなわち、図３（ｂ）に示すように、３枚のシャッタ羽根５は、互いの重なりが浅くなる外側方向に回転移動して中央部分を開放することになる（開状態）。
【００３６】
また、図３（ｂ）に示す状態から、逆方向に駆動コイル３２に通電すると、環状マグネット３１が、矢印Ｃで示す方向に回転する。その結果、３枚のシャッタ羽根５は、支軸５０回りに矢印Ｄの方向に回転する。すなわち、図３（ａ）に示すように、３枚のシャッタ羽根５は、互いの重なりが深くなる内側方向に回転移動して中央部分を閉鎖することになる（閉状態）。
【００３７】
ここで、支軸５０は、３枚のシャッタ羽根５の基端側で支持しているため、環状マグネット３１のわずかな回転で３枚のシャッタ羽根５を大きく変位させることができる。このため、駆動機構３は、ステッピングモータにおける１ステップ以下の駆動で、開状態から閉状態への切り換え、および閉状態から開状態への切り換えが行われる。例えば、本形態では、ステップ角が９°（１回転４０ステップ）であり、６°の動作角で開閉動作を行うことができる。
【００３８】
また、本形態では、上記の開閉動作を行う際、３枚のシャッタ羽根５が内側（閉方向）に移動すると、図３（ａ）に示すように、３枚のシャッタ羽根５は互いに干渉し、それ以上の移動が規制される。これに対して、３枚のシャッタ羽根５が外側（開方向）に移動すると、図３（ｂ）に示すように、３枚のシャッタ羽根５の外周縁が環状マグネット３１の内周面に当接し、それ以上の移動が規制される。本形態では、このようにして、環状マグネット３１およびシャッタ羽根５の回転移動範囲を規定するストッパ機構が構成され、このストッパ機構によって、環状マグネット３１の動作角度範囲（６°）は、着磁極の角度（１８°）の約１／２以下に設定されている。
【００３９】
（本形態の主な効果）
以上説明したように、本形態のシャッタ装置１では、環状マグネット３１を周方向に回転させて内側のシャッタ羽根５を動作させるため、環状マグネット３１の内側を光路として利用できるので、シャッタ装置１の小型化を図ることができる。また、回転軸を介さず、環状マグネット３１の回転をシャッタ羽根５に伝達するため、薄型化を図ることができる。また、環状マグネット３１を周方向に回転させて内側のシャッタ羽根５を動作させるため、シャッタ羽根５については、面内方向に回転可能に支軸５０により支持された複数枚のシャッタ羽根５により構成することができ、このようなシャッタ羽根５であれば、応答性に優れている。また、シャッタ羽根５を開位置と閉位置の途中位置で停止させれば、略円形の小さな開口を形成できるので、絞りとして機能させることもできる。
【００４０】
また、本形態では、駆動機構３として、アウターロータ型の１相のステッピングモータ構造を採用しているため、極数を任意の数まで増やすことができるので、大きなトルクを得ることができる。しかも、本形態では、駆動機構３において、ステッピングモータにおける１ステップ未満の動作によりシャッタ羽根５の開位置から閉位置への移動、および閉位置から開位置への移動を行っている。このため、大きなトルクを得ることができるとともに、応答性を向上することができる。また、駆動機構３における１ステップ未満の動作で開閉動作が行われる場合には、環状マグネット３１は、ステップ角の途中位置で停止することになるため、コギングトルクの影響を受けないので、応答よく回転する。
【００４１】
また、本形態では、駆動装置を１組の駆動コイル３２、環状マグネット３１、上ヨーク３３、および下ヨーク３４で構成しているので、小型化、薄型化、軽量化および低コスト化を図ることができる。
【００４２】
また、本形態においては、環状マグネット３１の切り欠き３１１と、３枚のシャッタ羽根５の各突起５１とによって、環状マグネット３１の回転をシャッタ羽根５に伝達する回転伝達部９が構成されているため、環状マグネット３１によってシャッタ羽根５を直接駆動することができる。従って、伝達損失を低減でき、かつ、小型化、軽量化および低コスト化を図ることができる。
【００４３】
（その他の実施の形態）
上記形態では、環状マグネット３１の切り欠き３１１を利用して回転伝達部９を構成したので、環状マグネット３１の磁極と切り欠き３１１との位置がずれていると、シャッタ羽根５の動作に不具合が発生する。従って、環状マグネット３１の多極着磁は、回転伝達部を構成する切り欠き３１１を基準位置にして成されていることが好ましい。このように構成すると、位相を容易に、かつ確実に合わせることができる。
【００４４】
また、上ヨーク３３および下ヨーク３４についても周方向における固定位置がずれると、シャッタ羽根５の動作に不具合が発生する。従って、上ヨーク３３および下ヨーク３４に対しては、周方向における固定位置を制御するための突起あるいは凹部を形成しておき、地板２５、ケース２１、上面カバー２２には、上ヨーク３３および下ヨーク３４の突起あるいは凹部と係合する凹部や突起を形成しておき、位相を容易に、かつ確実に合わせることが好ましい。
【００４５】
上記形態では、環状マグネット３１の切り欠き３１１とシャッタ羽根５の突起５１で回転伝達部９を構成したが、歯車を介して環状マグネット３１の回転をシャッタ羽根５に伝達するように回転伝達部９を構成してもよい。
【００４６】
また、ベアリングボール８１、８３によって環状マグネット３１を支持する構造に代えて、摺動面に潤滑層などを形成してもよい。
【００４７】
上記形態では、支軸５０と地板固定用ボス２５５とを別々に設けたが、それらを共用してもよい。
【００４８】
上記形態では、開動作および閉動作のいずれについても、駆動機構３によって磁気駆動する構成であったが、一方方向への動作についてはバネの付勢力を利用し、他方方向への動作時に磁気駆動する構成を採用してもよい。
【００４９】
上記形態では、シャッタ羽根５の周りを囲むように環状マグネット３１が配置された構成を採用したが、環状マグネット３１の内側にシャッタ羽根５全体あるいはその大部分が位置しておればよく、シャッタ羽根５の外周側が環状マグネット３１に一部重なっている構成や、シャッタ羽根５の外周側が環状マグネット３１より外側にはみ出ている構成を採用してもよい。また、シャッタ羽根５の数は３枚以外でもよく、必要により増減することもできる。
【図面の簡単な説明】
【００５０】
【図１】（ａ）、（ｂ）はそれぞれ、本発明を適用したシャッタ装置を上面側（一方側）からみたときの斜視図、および底面カバーを外した状態で底面側（他方側）からみたときの斜視図である。
【図２】（ａ）、（ｂ）はそれぞれ、本発明を適用したシャッタ装置の断面図、およびこのシャッタ装置に用いた環状マグネットの底面図である。
【図３】（ａ）、（ｂ）はそれぞれ、本発明を適用したシャッタ装置においてシャッタを開いた状態の底面図、およびシャッタを閉じた状態の底面図である。
【符号の説明】
【００５１】
１  シャッタ装置
３  駆動機構（駆動手段）
５  シャッタ羽根（シャッタ部材）
９  回転伝達部
２５  地板
３１  環状マグネット
３２  駆動コイル
３３  上ヨーク
３４  下ヨーク
３６  上ヨークおよび下ヨークの極歯
８１、８３  ベアリングボール
８２、８４  ベアリングボール収納穴
５０  支軸
５１  シャッタ羽根の突起
３１１  環状マグネットの切り欠き
３２０、３３０  テーパ
【図１】
2006154054.tif 000003
【図２】
2006154054.tif 000004
【図３】
2006154054.tif 000005